(57)【要約】【課題】通信履歴として記憶される宛先名などの情報が，その通信を行ったユーザ以外の者に知られることを防止することのできる画像通信装置を提供すること。【解決手段】ユーザログイン後に行われた画像通信における通信履歴データ（通信先情報）を該ユーザログインを行ったユーザの識別情報と対応付けて個別通信履歴記憶領域に記憶し（Ｓ１３），ユーザログアウト時に共通通信履歴記憶領域に記憶されている通信履歴データのうちユーザログインからユーザログアウトの間に記憶されたものを削除する（Ｓ１４）。そして，ユーザログインされていない場合には，共通通信履歴記憶領域の通信履歴データのみが表示される。一方，ユーザログイン後は，ユーザログインを行ったユーザの識別情報に対応付けて個別通信履歴記憶領域に記憶されている通信先情報と共通通信履歴記憶領域に記憶された通信先情報とを表示する（Ｓ７）。【選択図】図２
2011097402.tif 000002
【特許請求の範囲】
【請求項１】
画像通信の実行時に該画像通信先に関する通信先情報を記憶する第１の通信先情報記憶手段と，
所定の通信履歴表示操作に応じて前記第１の通信先情報記憶手段から前記通信先情報を読み出して所定の表示手段に表示する通信先情報表示手段と，前記通信先情報表示手段によって表示された前記通信先情報を通信先として画像通信を実行する再通信処理手段とを備えてなる画像通信装置であって，
ユーザログイン後に行われた画像通信における前記通信先情報を該ユーザログインを行ったユーザの識別情報と対応付けて記憶する第２の通信先情報記憶手段と，
ユーザログアウト時に前記第１の通信先情報記憶手段に記憶されている前記通信先情報のうち前記ユーザログインから前記ユーザログアウトの間に記憶された前記通信先情報を削除する第１の通信先情報削除手段と，を備えてなり，
前記通信先情報表示手段が，ユーザログイン後は，該ユーザログインを行ったユーザの識別情報に対応付けて前記第２の通信先情報記憶手段に記憶されている前記通信先情報と前記前記第１の通信先情報記憶手段に記憶されている前記通信先情報とを表示するものであることを特徴とする画像通信装置。
【請求項２】
ユーザログインがなされた場合に該ユーザログインを行ったユーザの識別情報に対応付けて前記第２の通信先情報記憶手段に記憶されている前記通信先情報を前記第１の通信先情報記憶手段に記憶させる通信先情報復帰手段を更に備えてなり，
前記通信先情報表示手段が，前記第２の通信先情報記憶手段に記憶されていた前記通信先情報が前記通信先情報復帰手段によって前記第１の通信先情報記憶手段に記憶された後に，該第１の通信先情報記憶手段に記憶されている前記通信先情報を表示するものである請求項１に記載の画像通信装置。
【請求項３】
ユーザログアウトからの時間経過を測定する計時手段と，前記計時手段による計時時間が予め設定された所定時間以上に達した場合に，前記ユーザログアウト前に実行された画像通信における前記通信先情報を前記第２の通信先情報記憶手段から削除する第２の通信先情報削除手段とを更に備えてなる請求項１又は２のいずれかに記載の画像通信装置。
【請求項４】
前記第１の通信先情報削除手段によって削除する通信先情報を予め設定する削除対象登録手段を更に備えてなり，
前記第２の通信先情報記憶手段が，前記削除対象登録手段によって予め設定された一又は複数の通信先情報を記憶するものであって、
前記第１の通信先情報削除手段が，前記削除対象登録手段によって予め設定された一又は複数の通信先情報を削除するものである請求項１〜３のいずれかに記載の画像通信装置。
【請求項５】
前記第２の通信先情報記憶手段が，前記画像通信が複数の通信先を同時に指定して行われる同報通信である場合には，該同報通信における前記通信先情報のうち前記削除対象登録手段によって予め設定された一又は複数の通信先情報のみを記憶するものであり，
前記第１の通信先情報削除手段が，前記同報通信における前記通信先情報のうち前記削除対象登録手段によって予め設定された一又は複数の通信先情報のみを削除するものである請求項４に記載の画像通信装置。
【請求項６】
前記画像通信が，ファクシミリ送信，インターネットファクシミリ送信，電子メール送信のいずれか一又は複数を含むものである請求項１〜５記載のいずれかに記載の画像通信装置。
【発明の詳細な説明】
【技術分野】
【０００１】
本発明は，ファクシミリ送信などの画像通信を実行する画像通信装置に関し，特に，その画像通信時に通信先の情報を含む通信履歴データを記憶し，その通信履歴データを次の画像通信操作時に表示して通信先として再利用するリダイヤル機能を有する画像通信装置に関するものである。
【背景技術】
【０００２】
一般に，ファクシミリ装置，複合機等の画像通信装置においては，相手先の宛名を入力してファクシミリ通信などを行うと，その宛先名，通信時刻などの通信履歴がログファイルとして記憶される。そして，その後，再宛先（リダイヤル）キーを操作すると，ログファイルとして記憶された通信履歴が表示され，その表示された宛先名を次の通信に使用することが可能である。
一方，例えば特許文献１には，利用者を識別して認証するための利用者認証手段と，利用者が行った操作設定のデータを保存する操作設定データ記憶手段とを備え，利用者の複合機の利用に際して，利用者の識別を行い，認証判断がされた場合に，前回の設定の呼び出しを行い，前回使用した時と同じ設定が自動的に行われる技術が開示されている。
【先行技術文献】
【特許文献】
【０００３】
【特許文献１】特開２００５−９４１２１号公報
【発明の概要】
【発明が解決しようとする課題】
【０００４】
しかしながら，従来の画像通信装置では，ユーザ認証機能を有する場合であっても，相手先の宛名を入力してファクシミリ通信を行うと，その宛名，通信時刻等は，その画像通信装置の共通のログファイルとして保存記憶される。そして，その後は，そのファクシミリ通信をしたユーザに限らず，そのユーザ以外の者が再宛先キーを押しても，画像通信装置全体のログファイルの内容，つまり通信履歴が表示されることとなる。
そのため，自己の通信履歴が他人に知られたくない状況に対応することができないという問題がある。この問題は，ユーザログイン時の設定内容を保持するという前記特許文献１に係る構成においても同様に生じるものである。
従って，本発明は上記事情に鑑みてなされたものであり，その目的とするところは，通信履歴として記憶される宛先名などの情報が，その通信を行ったユーザ以外の者に知られることを防止することのできる画像通信装置を提供することにある。
【課題を解決するための手段】
【０００５】
上記目的を達成するために本発明は，画像通信の実行時に該画像通信先に関する通信先情報を記憶する第１の通信先情報記憶手段と，所定の通信履歴表示操作に応じて前記第１の通信先情報記憶手段から前記通信先情報を読み出して所定の表示手段に表示する通信先情報表示手段と，前記通信先情報表示手段によって表示された前記通信先情報を通信先として画像通信を実行する再通信処理手段とを備えてなる画像通信装置に適用されるものであって，ユーザログイン後に行われた画像通信における前記通信先情報を該ユーザログインを行ったユーザの識別情報と対応付けて記憶する第２の通信先情報記憶手段と，ユーザログアウト時に前記第１の通信先情報記憶手段に記憶されている前記通信先情報のうち前記ユーザログインから前記ユーザログアウトの間に記憶された前記通信先情報を削除する第１の通信先情報削除手段とを備えてなり，前記通信先情報表示手段が，ユーザログイン後は，該ユーザログインを行ったユーザの識別情報に対応付けて前記第２の通信先情報記憶手段に記憶されている前記通信先情報と前記第１の通信先情報記憶手段に記憶されている前記通信先情報とを表示するものであることを特徴とする画像通信装置として構成される。なお，前記画像通信は，例えばファクシミリ送信，インターネットファクシミリ送信，電子メール送信のいずれか一又は複数を含むものである。
本発明によれば，ユーザログイン後に実行された画像通信時の通信先情報は一時的に削除されるため，そのユーザ以外の者が通信履歴（再宛先）を呼び出しても，その削除された通信先情報を見ることはできず，自己の画像通信における前記通信先情報を他人に知られることを防止できる。また，ユーザ各々は，自己による再ユーザログイン時には，一時的に削除されていた通信先情報を参照することができるため，自己が過去に行った画像通信における通信先情報を再宛先指定用に有効利用することができる。
【０００６】
具体的には，ユーザログインがなされた場合に該ユーザログインを行ったユーザの識別情報に対応付けて前記第２の通信先情報記憶手段に記憶されている前記通信先情報を前記第１の通信先情報記憶手段に記憶させる通信先情報復帰手段を更に備えてなり，前記通信先情報表示手段が，前記第２の通信先情報記憶手段に記憶されていた前記通信先情報が前記通信先情報復帰手段によって前記第１の通信先情報記憶手段に記憶された後に，該第１の通信先情報記憶手段に記憶されている前記通信先情報を表示するものであることが考えられる。これにより，同一のユーザがユーザログインをした場合に限り，該ユーザに対応する前記通信先情報を表示させることが可能である。
さらに，ユーザログアウトからの時間経過を測定する計時手段と，前記計時手段による計時時間が予め設定された所定時間以上に達した場合に，前記ユーザログアウト前に実行された画像通信における前記通信先情報を前記第２の通信先情報記憶手段から削除する第２の通信先情報削除手段とを備えてなるものであることも考えられる。これにより，前記所定時間を適宜設定しておけば，前記通信先情報を無駄に持ち続けることを防止してセキュリティ性を向上させることや，前記第２の通信先情報記憶手段の記憶容量を省減することができる。
【０００７】
また，前記第１の通信先情報削除手段によって削除する通信先情報を予め設定する削除対象登録手段を更に備えてなり，前記第２の通信先情報記憶手段が，前記削除対象登録手段によって予め設定された一又は複数の通信先情報を記憶するものであって，前記第１の通信先情報削除手段が，前記削除対象登録手段によって予め設定された一又は複数の通信先情報を削除するものであることも考えられる。これにより，ユーザ各々は，全ての通信先情報を他人に見られないようにするのではなく，ある特定の通信先情報のみを他人に見られないように予め登録しておくことが可能となり，利便性が向上する。
ここで，前記第２の通信先情報記憶手段が，前記画像通信が複数の通信先を同時に指定して行われる同報通信である場合には，該同報通信における前記通信先情報のうち前記削除対象登録手段によって予め設定された一又は複数の通信先情報のみを記憶するものであり，前記第１の通信先情報削除手段が，前記同報通信における前記通信先情報のうち前記削除対象登録手段によって予め設定された一又は複数の通信先情報のみを削除するものであることが考えられる。これにより，同報通信であってもその中に含まれた一部の宛先についての通信先情報のみを他人に知られないようにすることが可能である。
【発明の効果】
【０００８】
本発明によれば，ユーザによって実行された画像通信時の通信先情報が一時的に削除されるため，そのユーザ以外の者が通信履歴（再宛先）を呼び出しても，その一時的に削除されている通信先情報を見ることはできず，自己の画像通信に使用した宛先を他人に知られることを防止できる。また，ユーザ各々は，自己による再ユーザログイン時には，一時的に削除されていた通信先情報を参照することができるため，自己が過去に行った画像通信における通信先情報を再宛先指定用に有効利用することができる。
【図面の簡単な説明】
【０００９】
【図１】本発明の実施の形態に係る画像通信装置の概略構成を示すブロック図。
【図２】本発明の実施の形態に係る画像通信装置で実行される画像通信処理の手順の一例を説明するためのフローチャート。
【図３】本発明の実施の形態に係る画像通信装置で実行される画像通信処理の実行結果を説明するための図。
【図４】本発明の実施の形態に係る画像通信装置で実行される画像通信処理の実行結果を説明するための図。
【図５】本発明の実施の形態に係る画像通信装置で実行される画像通信処理の実行結果を説明するための図。
【発明を実施するための形態】
【００１０】
以下添付図面を参照しながら，本発明の実施の形態について説明し，本発明の理解に供する。尚，以下の実施の形態は，本発明を具体化した一例であって，本発明の技術的範囲を限定する性格のものではない。
ここに，図１は，本発明の実施の形態に係る複合機Ｘの概略構成を示すブロック図である。前記複合機Ｘは，ファクシミリ機能やコピー機能，プリンタ機能，スキャナ機能などを備えている。
図１に示すように，前記複合機Ｘは，ＣＰＵ１と，ＮＣＵ２と，ＭＯＤＥＭ３と，ＲＯＭ４と，ＲＡＭ５と，操作部６と，表示部７と，スキャナ８と，画像メモリ９と，プリンタ１０と，ＬＡＮインターフェース（ＬＡＮ  Ｉ／Ｆ）１１とを備えており，これらはバス１２によって通信可能に接続されている。
前記複合機Ｘは，ＦＡＸ送信，インターネットファクシミリ送信，電子メール送信のいずれか一又は複数の画像通信を実行する画像通信装置の一例である。なお，本発明は，電子メール送信などの画像通信を行うパーソナルコンピュータ（情報処理装置）などの画像通信装置に適用することも可能である。
【００１１】
前記ＲＯＭ４は，前記ＣＰＵ１が複合機Ｘを制御するために実行する制御プログラムを記憶するものである。
前記ＣＰＵ１は，前記ＲＯＭ４に記憶された制御プログラムを実行することにより，当該複合機Ｘを構成する各部を制御する機能を有する。具体的に，後述する図２に示す処理は，前記ＣＰＵ１の制御のもとに実行される。
前記ＲＡＭ５は，ＥＥＰＲＯＭなどの不揮発性メモリであって，前記ＣＰＵ１による制御演算の演算データを記憶すると共に，前記複合機Ｘにおいて行われる画像通信についての通信履歴データ（通信先情報に相当）を記憶する記憶領域として共通通信履歴記憶領域５ａ（第１の通信先情報記憶手段の一例）及び個別通信履歴記憶領域５ｂ（第２の通信先情報記憶手段の一例）を有している。なお，前記共通通信履歴記憶領域５ａ及び前記個別通信履歴記憶領域５ｂは異なるＲＡＭに設けられていてもよい。
【００１２】
前記ＮＣＵ２は，通信回線である電話回線（ＰＳＴＮ）１３との接続を制御すると共に，相手先の電話番号，ＦＡＸ番号に対応したダイヤル番号を送出する機能及び着信を検出するための機能を備えている。
また，前記ＭＯＤＥＭ３は，ファクシミリ制御手順に基づいて，送信データの変調及び受信データの復調を行う。さらに，前記ＬＡＮ  Ｉ／Ｆ１１は，ＰＣその他のＬＡＮを構成する外部機器と接続され，このインターフェースを介して外部機器とのデータ送受信を行う。
【００１３】
前記操作部６は，テンキー，ワンタッチキー，スタートキー，ストップキー，登録キー，その他設定キー，モード切替キー，再宛先（リダイヤル）キー６ａ，削除設定キー６ｂを有する。なお，前記操作部６に設けられる各種のキーは，前記表示部７上に設けられたタッチパネルにより具現されるものであってもよい。
前記再宛先キー６ａは，当該複合機Ｘの画像通信時に過去の通信先を呼び出し，その中から今回の画像通信における通信先を選択するために操作されるキーである。
前記削除設定キー６ｂは，後述の画像通信処理において，ユーザログイン後に行われる画像通信の通信履歴データを削除するか否かを予め設定するために用いられるキーである。なお，前記削除設定キー６ｂに限らず，装置の各種モード設定の一つとして画像通信の通信履歴の削除の有無を予め設定し得る構成であってもよい。また，ユーザログイン後に行われる画像通信の通信履歴データを常に削除するよう構成されていてもよい。
前記表示部７は，前記操作部６の再宛先キー６ａの操作によって読み出される通信履歴データや，当該複合機Ｘの動作状況などの各種情報，その他のメッセージ情報を表示する。
【００１４】
前記スキャナ８は，ＦＡＸ送信や複写処理が実行される際に，不図示の原稿台や自動搬送装置（ＡＤＦ）にセットされた原稿の画像データを光学的に走査して読み取るものである。
前記画像メモリ９は，前記スキャナ８で読み取った画像データや外部から受信した受信画像データなどの各種画像データを一時的に記憶するものである。
前記プリンタ１０は，前記画像メモリ９に記憶された画像データや，前記操作部６の操作によって読み出された通信履歴データ等を記録紙上にプリントアウトするものである。
【００１５】
そして，本実施の形態に係る前記複合機Ｘは，前記ＣＰＵ１によって実行される後述の画像通信処理（図２のフローチャート参照）において，ユーザログイン後に行われた画像通信についての宛先名などの通信履歴データが，そのユーザ以外の者に見られないように処理することのできる点に特徴を有している。
以下，図２のフローチャートに従って，本実施の形態に係る複合機Ｘにおいて前記ＣＰＵ１によって実行される画像通信処理の手順の一例について説明する。なお，ステップＳ１，Ｓ２，…は，処理手順（ステップ）番号を表す。
【００１６】
（ステップＳ１）
まず，ステップＳ１において，前記ＣＰＵ１は，ユーザ操作により入力されるユーザＩＤ及びパスワードを照合することによりユーザ認証を行う。なお，ユーザ認証は，例えばカードリーダや指紋照合などを用いる従来周知の認証技術を利用すればよい。ここで，ユーザ認証が行われた場合には，処理はステップＳ２に移行する。
他方，前記複合機Ｘにおいて，ユーザ認証が行われていない場合には，前記ＣＰＵ１は，ユーザ操作に従って，従来の一般的な画像通信装置で実行される通常の画像通信処理を実行する。具体的に，ユーザ認証が行われない場合の画像通信処理では，前記ＣＰＵ１は，画像通信の通信先の設定時に前記再宛先キー６ａが操作（所定の通信履歴表示操作の一例）された場合，前記共通通信履歴記憶領域５ａに記憶された通信履歴データのみを読み出して前記表示部７に表示させ，前記個別通信履歴記憶領域５ｂに記憶された通信履歴データを表示させない。ここに，係る表示処理を実行するときの前記ＣＰＵ１が通信先情報表示手段に相当する。
【００１７】
（ステップＳ２〜Ｓ４）
ユーザ認証が行われると，次にステップＳ２において，前記ＣＰＵ１は，予め前記削除設定キー６ｂが操作されることによって通信履歴データを削除する旨の設定が行われているか否かを判断する。ここで，削除設定が行われていると判断されると（Ｓ２のＹｅｓ側），処理はステップＳ３へ移行する。一方，削除設定がなされていないと判断されると（Ｓ２のＮｏ側），処理はステップＳ４へ移行する。
そして，ステップＳ３において，前記ＣＰＵ１は，通信履歴データの削除設定の有無を示すフラグＦを，削除設定有りを示す「１」に設定し，処理はステップＳ５に移行する。一方，ステップＳ４では，前記ＣＰＵ１は，フラグＦを削除設定無しを示す「０」に設定し，処理はステップＳ５に移行する。前記フラグＦは，例えば前記ＲＡＭ５の記憶領域に確保されたものである。
【００１８】
（ステップＳ５〜Ｓ７）
続いて，ステップＳ５において，前記ＣＰＵ１は，前記操作部６を用いて宛先入力がなされたか否かを判断する。ここで，前記操作部６のテンキーによる宛先番号の入力やワンタッチキーなどによる宛先入力がなされた場合は（Ｓ５のＹｅｓ側），処理はステップＳ８へ移行する。
一方，宛先入力がなされない場合は（Ｓ５のＮｏ側），処理はステップＳ６へ移行する。ステップＳ６では，前記ＣＰＵ１は，前記操作部６の再宛先キー６ａが操作されたか否かを判断する。ここで，前記再宛先キー６ａが操作されていない場合は（Ｓ６のＮｏ側），処理は前記ステップＳ５へ戻る。一方，前記再宛先キー６ａが操作された場合には（Ｓ６のＹｅｓ側），処理はステップＳ７へ移行する。
そして，ステップＳ７において，前記ＣＰＵ１は，前記共通通信履歴記憶領域５ａに記憶されている通信履歴データと，前記個別通信履歴記憶領域５ｂに記憶されている通信履歴データのうち現在ユーザログイン中のユーザの識別情報と対応付けて記憶されている通信履歴データ（宛先名）を呼び出し，前記表示部７に表示させる。具体的に，前記個別通信履歴記憶領域５ｂに記憶されている通信履歴データについては，前記ＣＰＵ１は，現在ユーザログイン中のユーザのＩＤと前記個別通信履歴記憶領域５ｂに記憶された通信履歴データに対応付けられたＩＤとを照合し，一致するものがある場合にのみ，その通信履歴データを呼び出す。
これにより，ユーザは，その表示された通信履歴データの中から所望の宛先を選択する操作を前記操作部６に対して行うことが可能となる。なお，一致するＩＤが存在しない場合には，前記ＣＰＵ１は，前記共通通信履歴記憶領域５ａに記憶された通信履歴データのみを前記表示部７に表示させる。
【００１９】
ここで，前記ステップＳ７の他の例を説明する。
前記ステップＳ７において，前記ＣＰＵ１は，まず，現在ユーザログイン中のユーザのＩＤと前記個別通信履歴記憶領域５ｂに記憶された通信履歴データに対応付けられたＩＤとを照合し，一致するものがある場合は，そのＩＤに対応する通信履歴データを前記個別通信履歴記憶領域５ｂから読み出して前記共通通信履歴記憶領域５ａに記憶させる。ここに，係る記憶処理を実行するときの前記ＣＰＵ１が通信先情報復帰手段に相当する。その後，前記ＣＰＵ１は，前記共通通信履歴記憶領域５ａに記憶された通信履歴データを前記表示部７に表示させる。
このような処理によっても，前記ＣＰＵ１は，前記共通通信履歴記憶領域５ａに記憶されている通信履歴データと，前記個別通信履歴記憶領域５ｂに記憶されている通信履歴データのうち現在ユーザログイン中のユーザの識別情報と対応して記憶されている通信履歴データとの両方の通信履歴データを前記表示部７に表示させることが可能である。なお，この場合，前記個別通信履歴記憶領域５ｂから前記共通通信履歴記憶領域５ａに記憶された前記通信履歴データは，ユーザログアウト時に削除される。
【００２０】
（ステップＳ８〜Ｓ１０）
次に，前記ＣＰＵ１は，ステップＳ８において，前記操作部６のスタートキーが押されたか否かを判断する。ここで，前記操作部６のスタートキーが操作された判断されると（Ｓ８のＹｅｓ側），処理はステップＳ９に移行する。
ステップＳ９において，前記ＣＰＵ１は，前記画像メモリ９に記憶された画像データを，前記ステップＳ５で入力された宛先，又は前記ステップＳ７の表示に従って選択された宛先へのＦＡＸ送信などの画像通信を実行する。このように，前記ステップＳ７で表示された通信履歴データに含まれた宛先を通信先として画像通信を実行するときの前記ＣＰＵ１が再通信処理手段に相当する。
このとき，前記ＣＰＵ１は，前記ステップＳ９で実行される画像通信時に，その画像通信の通信先として設定された宛先に関する情報を含む通信履歴データを共通通信履歴記憶領域５ａに記憶する（Ｓ１０）。前記共通通信履歴記憶領域５ａに記憶される通信履歴データは，例えば図３に示すように，画像通信の実行Ｎo.順に，相手先名，開始日時，（通信）時間，枚数などのデータである。もちろん，前記通信履歴データは単なる一例に過ぎない。また，ＦＡＸ受信，インターネットファクシミリ受信，電子メール受信などの画像通信の通信履歴データについても同様に扱うことが考えられる。
【００２１】
（ステップＳ１１〜Ｓ１２）
その後，ステップＳ１１においては，前記ＣＰＵ１は，ユーザログアウトがなされたか否か判断する。ユーザログアウトがなされた場合は（Ｓ１１のＹｅｓ側），処理はステップＳ１２へ移行する。一方，ユーザログアウトがなされるまでの間は（Ｓ１１のＮｏ側），処理は前記ステップＳ５へ戻される。
次に，ステップＳ１２において，前記ＣＰＵ１は，前記フラグＦが「１」であるか否か，即ち削除設定がなされているか否かを判断する。ここで，前記フラグＦが「０」の場合は（Ｓ１２のＮｏ側），今回の画像通信前に削除設定がなされていないものとして，一連の画像通信処理は終了し，処理は前記ステップＳ１へ戻る。
一方，前記フラグＦが「１」の場合は（Ｓ１２のＹｅｓ側），今回の画像通信前に削除設定がなされているものとして，処理はステップＳ１３へ移行する。
【００２２】
（ステップＳ１３〜Ｓ１４）
ステップＳ１３において，前記ＣＰＵ１は，今回の画像通信についての通信履歴データを現在ユーザログイン中のユーザのＩＤ（識別情報の一例）と対応付けて個別通信履歴記憶領域５ｂに記憶する。前記個別通信履歴記憶領域５ｂの記憶データ例を図４に示す。ここでは，図４に示すように，Ｎo.３，４のデータが今回の通信履歴データとして前記個別通信履歴記憶領域５ｂに新たに記憶されたとする。
そして，ステップＳ１４において，前記ＣＰＵ１は，前記複合機Ｘでは，ユーザログアウト時に前記共通通信履歴記憶領域５ａに記憶されている通信履歴データのうち，今回のユーザログインからユーザログアウトの間に記憶された前記通信履歴データを削除して，一連の画像通信処理を終了させ，処理を前記ステップＳ１に戻す。ここに，係る削除処理を実行するときの前記ＣＰＵ１が第１の通信先情報削除手段に相当する。
例えば，前記ステップＳ１４では，前記共通通信履歴記憶領域５ａから，図３のＮo.１〜４のうち今回のユーザログインからユーザログアウトの間に行われたＮo.３，４の通信履歴データが削除され，図５に示すように，Ｎo.１，２の通信履歴データのみが残る。なお，ここで例示した通信履歴データの削除は，該通信履歴データに含まれた相手先名，開始日時等の全てのデータであるが，これに代えて相手先名のみを削除するものであっても良い。
【００２３】
以上，説明したように，前記複合機Ｘでは，ユーザログアウト時に前記共通通信履歴記憶領域５ａに記憶されている通信履歴データのうち，そのユーザログインからユーザログアウトの間に記憶された前記通信履歴データが削除されるため，その後に，そのユーザログインを行ったユーザ以外の者が前記再宛先キー６ａの操作を行った場合には，その削除された通信履歴データを参照することはできなくなる。具体的には，例えば図５に示すように，Ｎo.１，２の通信履歴データのみが表示され，設定ユーザが削除した相手先名を含むＮo.３，４の通信履歴データは表示されない。
そのため，削除された通信履歴データの相手先名が削除設定ユーザ以外の他のユーザに漏れることがない。なお，前記再宛先キー６ａの操作に限らず，通信履歴を確認するための操作が行われた場合にも同様に処理すればよい。
これに対し，前記個別通信履歴記憶領域５ｂに記憶されているＩＤ付きの通信履歴データのＩＤが自己のＩＤであるユーザは，前記ステップＳ６において，前記共通通信履歴記憶領域５ａだけでなく前記個別通信履歴記憶領域５ｂに記憶された自己のＩＤに対応する通信履歴データが前記表示部７に表示されるため，その通信履歴データをリダイヤル操作時に有効に利用することができる。例えば，図３に示す削除前の状態が前記表示部７に表示されることとなる。
【００２４】
また，前記複合機Ｘにユーザログアウトからの時間経過を測定するタイマＴ（計時手段に相当）を設けておき，前記ＣＰＵ１が，前記タイマＴによる計時時間が所定時間以上に達した場合に，そのユーザログアウト前に実行された画像通信における通信履歴データを前記個別通信履歴記憶領域５ｂから自動的に削除することも他の実施例として考えられる。ここに，係る削除処理を実行するときの前記ＣＰＵ１が第２の通信先情報削除手段に相当する。
これにより，前にユーザログインを行って画像通信を行ったユーザが，例えば１週間などの長い時間使用しなかった場合などに，その画像通信についての通信履歴データを自動的に削除させることができ，該通信履歴データの漏洩のおそれを低減することができ，セキュリティ性を向上させることができる。また，前記所定時間の設定は，例えば宛先（通信履歴データ）ごとに行えるようにしてもよい。
なお，このような自動削除処理はユーザログアウト毎に個別に行ってもよいが，例えば最後のユーザログアウトから前記所定時間以上経過するまではそれまでの通信履歴データを保持させておき，最後のユーザログアウトから前記所定時間以上経過した場合に，そのユーザに対応して前記個別通信履歴記憶領域５ｂに記憶された全ての通信履歴データを削除するよう構成してもよい。
【実施例】
【００２５】
前記実施の形態では，ユーザログイン後に行われた画像通信における通信履歴データを全て削除する場合を例に挙げて説明したが，前記複合機Ｘが，前記ステップＳ１４で削除する通信履歴データを予め設定する削除対象登録機能（削除対象登録手段）を有しており，前記個別通信履歴記憶領域５ｂの通信履歴データの一部だけを削除することも他の実施例として考えられる。
具体的には，前記ＣＰＵ１が，ユーザ操作などに従って，前記ステップＳ１４で削除する通信履歴データを予め設定することが考えられる。そして，前記ＣＰＵ１は，前記個別通信履歴記憶領域５ｂにその予め設定された一又は複数の通信先情報を記憶させ，前記共通通信履歴記憶領域５ａからその予め設定された一又は複数の通信先情報を削除させる。これにより，他人に知られたくない通信履歴データのみを秘密にすることができ，他の通信履歴データは共通の通信履歴データとして有効利用することが可能となる。
また，ログインしているユーザの関係で通信履歴データの参照の可否を制御することも考えられる。具体的には，あるユーザＡに対応付けられた通信履歴データが前記個別通信履歴記憶領域５ｂに記憶されている場合，前記ステップＳ７において，前記ＣＰＵ１が，ユーザログインしている者がユーザＡと異なるユーザＢである場合には，前記ユーザＡの通信履歴データを表示させないが，ユーザログインしている者がユーザＡと異なるユーザＣである場合には，前記ユーザＡの通信履歴データを表示させることが考えられる。これにより，特定のユーザの間だけで共通の通信履歴データを有効利用しつつ，他のユーザにはその通信履歴データが見られないようにすることができる。
【００２６】
さらに，このように予め設定された通信先のみを削除対象とする場合には，当該複合機Ｘで実行される画像通信が複数の通信先を指定して同時に画像通信を行う同報通信に係るものであるとき，その同報送信の通信先の一部に削除すべき通信先が含まれている可能性がある。
そこで，このような場合には，前記ＣＰＵ１が，その同報通信における通信履歴データのうち削除対象として予め設定された一又は複数の通信先情報のみを前記共通通信履歴記憶領域５ａから削除し，その削除対象である一又は複数の通信先情報のみを前記個別通信履歴記憶領域５ｂに記憶させることが考えられる。そして，前記ＣＰＵ１は，前記ステップＳ６において，その同報通信についての通信履歴データを表示する際には，その通信履歴データのうち削除設定されていない通信先に関する情報のみを表示させるよう構成される。
これにより，同報送信についても秘密にしたい通信履歴データを第３者に見られることを防止することができる。
【符号の説明】
【００２７】
１：ＣＰＵ
２：ＮＣＵ
３：ＭＯＤＥＭ
４：ＲＯＭ
５：ＲＡＭ
５ａ：共通通信履歴記憶領域（第１の通信先記憶手段に相当）
５ｂ：個別通信履歴記憶領域（第２の通信先記憶手段に相当）
６：操作部
６ａ：再宛先キー
６ｂ：削除設定キー
７：表示部
８：スキャナ
９：画像メモリ
１０：プリンタ
１１：ＬＡＮインターフェース
１２：バス
１３：電話回線
Ｓ１，Ｓ２，…：処理手順（ステップ）番号
Ｘ…画像通信装置
【図１】
2011097402.tif 000003
【図２】
2011097402.tif 000004
【図３】
2011097402.tif 000005
【図４】
2011097402.tif 000006
【図５】
2011097402.tif 000007